(57)【要約】【課題】カセッテ収納袋の汚染保護機能を低下させることなく、電子カセッテを収納した状態でバッテリへの充電が可能なカセッテ収納袋を提供する。【解決手段】カセッテ収納袋１７は、袋本体３８と接続端子３９を備える。袋本体３８は、放射線撮影用の電子カセッテ１３を内部に収納する。電子カセッテ１３は、充電式のバッテリ３３と、バッテリへの充電用のバッテリ端子３５とを有する。接続端子３９は、袋本体３８の内部に露呈され、バッテリ端子３５と導通可能に接触するとともに、袋本体３８の外部に露呈され、バッテリ３３に充電を行うための充電器と導通可能に接触する接点７７（第１接点，第２接点）とからなり、バッテリ３３と充電器とを電気的に接続する。【選択図】図６
2012027015.tif 000002
【特許請求の範囲】
【請求項１】
放射線撮影用の電子カセッテであり、充電式のバッテリと前記バッテリへの充電用のバッテリ端子とを有する電子カセッテを内部に収納する袋本体と、
前記袋本体の内部に露呈され、前記バッテリ端子と導通可能に接触する第１接点に接続され、前記バッテリに充電を行うための充電器から電力を受電する受電手段と、
を備えることを特徴とするカセッテ収納袋。
【請求項２】
前記受電手段は、前記第１接点と、袋本体の外部に露呈され、前記充電器と導通可能に接触する第２接点とを有し、前記バッテリと前記充電器とを電気的に接続する接続端子であることを特徴とするカセッテ収納袋。
【請求項３】
前記第１接点は、前記袋本体に対して電子カセッテが所定の向きで収納されたときに前記袋本体の内部において前記バッテリ端子と対向する位置に配置されており、
前記第２接点は、前記袋本体の外面において前記第１接点と同じ位置に配置されていることを特徴とする請求項２記載のカセッテ収納袋。
【請求項４】
前記接続端子は、第１接点に対応する第１部分と第２接点に対応する第２部分を有する少なくとも１枚の金属片を含むことを特徴とする請求項２または３記載のカセッテ収納袋。
【請求項５】
前記第１接点と前記第２接点は、接続線を介して接続されていることを特徴とする請求項２記載のカセッテ収納袋。
【請求項６】
前記接続線はフラットな形状をしたフレキシブルケーブルであることを特徴とする請求項５記載のカセッテ収納袋。
【請求項７】
前記フレキシブルケーブルは、フレキシブル基板上に導線がプリントされたプリント配線であることを特徴とする請求項６記載のカセッテ収納袋。
【請求項８】
前記接続線は、前記第２接点から前記第１接点へ至る全長のうち、前記第２接点を基点とする所定範囲が前記袋本体の内面に貼付されていることを特徴とする請求項５〜７のいずれか１項に記載のカセッテ収納袋。
【請求項９】
前記第１接点は、前記袋本体の内面において前記第２接点とは異なる位置に取り付けられており、前記接続線は、全長に渡って前記袋本体の内面に貼付されていることを特徴とする請求項８記載のカセッテ収納袋。
【請求項１０】
前記接続線の一部と前記第１接点は、前記袋本体の内面から分離した状態で設けられており、前記第１接点は、前記接続線が撓む範囲で変位自在であることを特徴とする請求項８記載のカセッテ収納袋。
【請求項１１】
前記第１接点と前記第２接点は、前記袋本体よりも硬い材料の支持体上に設けられていることを特徴とする請求項２〜１０のいずれか１項に記載のカセッテ収納袋。
【請求項１２】
前記接続端子は、前記第１接点とバッテリ端子、及び前記第２接点と前記充電器の端子との少なくとも一方の接触位置の位置ずれを防止するための嵌合部を有していることを特徴とする請求項２〜１１のいずれか１項に記載のカセッテ収納袋。
【請求項１３】
前記受電手段は、前記第１接点と、前記第１接点に接続され、非接触給電装置から非接触に電力を伝送される非接触受電手段とを有することを特徴とする請求項１記載のカセッテ収納袋。
【請求項１４】
前記非接触受電手段は、前記非接触給電装置に設けられた平板状の給電電極と対になり、前記給電電極と容量結合をすることにより前記非接触給電装置からの電力を得る平板状の受電電極であることを特徴とする請求項１３記載のカセッテ収納袋。
【請求項１５】
前記非接触受電手段は、前記非接触給電装置に設けられた給電コイルと対になり、電磁誘導によって前記非接触給電装置からの電力を得る受電コイルであることを特徴とする請求項１３記載のカセッテ収納袋。
【請求項１６】
前記袋本体内に、前記電子カセッテを収納する第１収納スペースとは別に、前記非接触受電手段を収納する第２収納スペースを備えることを特徴とする請求項１３〜１５のいずれか１項に記載のカセッテ収納袋。
【請求項１７】
前記第２収納スペースは、前記袋本体の内壁に前記袋本体と一体となって形成された内ポケットによって形成されることを特徴とする請求項１６記載のカセッテ収納袋。
【請求項１８】
前記内ポケットは、開閉自在であり、前記非接触受電手段を前記袋本体から分離可能であることを特徴とする請求項１７記載のカセッテ収納袋。
【請求項１９】
前記第２収納スペースは、前記袋本体とは別体に形成された非接触受電手段用収納袋によって形成され、前記非接触受電手段用収納袋が前記袋本体の内壁に取り付けられていることを特徴とする請求項１６記載のカセッテ収納袋。
【請求項２０】
前記非接触受電手段用収納袋が前記袋本体に対して着脱自在であることを特徴とする請求項１９記載のカセッテ収納袋。
【請求項２１】
前記非接触受電手段のうち少なくとも一部が導電性プラスチックにより形成されていることを特徴とする請求項１３〜２０のいずれか１項に記載のカセッテ収納袋。
【発明の詳細な説明】
【技術分野】
【０００１】
本発明は、可搬型放射線画像検出装置である電子カセッテを収納するカセッテ収納袋に関する。
【背景技術】
【０００２】
放射線撮影の分野において、ＴＦＴ（Thin film transistor）アクティブマトリクス基板上にＸ線感応層を配置し、Ｘ線を直接デジタルデータに変換できるＦＰＤ（flat panel detector）が実用化されている。また、ＦＰＤを用いて被検体を透過して照射された放射線により表わされる放射線画像を生成し、生成した放射線画像を記憶する可搬型放射線画像検出装置（以下、電子カセッテという）が実用化されている。
【０００３】
電子カセッテは、放射線画像検出器が臥位撮影台や立位スタンドに固定された固定式の撮影装置と比較して、撮影の際のポジショニングの自由度が高いため、固定式の撮影装置では撮影が困難な撮影部位の撮影に使用される他、手術台などにおいて患者への処置と並行して撮影を行う場合などに利用される。処置と並行して撮影を行う場合には、電子カセッテに血液や体液が付着して汚染される可能性が高い。電子カセッテが汚染された場合には当然ながら汚染部分の洗浄が必要になるが、電子カセッテは多数の電気部品で構成される精密機器であり本体への液体の進入は好ましくないため、液体を使用した洗浄がしにくい。
【０００４】
そこで、電子カセッテを汚染から保護するための収納袋（以下、カセッテ収納袋という）が各種提案されて実用化されている（特許文献１）。電子カセッテの汚染が懸念される場合にはカセッテ袋に電子カセッテを収納して、その状態で使用することで、電子カセッテを汚染から保護することができる。
【０００５】
また、電子カセッテに電源ケーブルや通信ケーブルが設けられていると、ポジショニングの自由度が低下するため、電子カセッテの本体に充電式バッテリや無線通信用のアンテナを内蔵して、電子カセッテをケーブルレスで使用可能にする技術も知られている。特許文献２においては、電子カセッテの本体にアンテナが内蔵されていない場合でも無線通信を行うことができるように、無線通信用のアンテナを備えたカセッテ収納袋が提案されている。
【先行技術文献】
【特許文献】
【０００６】
【特許文献１】特開２００８−２３３３００号公報
【特許文献２】特開２００９−４８１７１号公報
【発明の概要】
【発明が解決しようとする課題】
【０００７】
処置と並行して撮影を行う場合は急患対応など一刻を争う場面が多いため、必要なときに即座に電子カセッテを使用できるように、電子カセッテは、バッテリが充電された状態で、かつ、予めカセッテ収納袋に収納した状態で待機させておくことが好ましい。
【０００８】
しかしながら、カセッテ収納袋に収納した状態では、電子カセッテのバッテリ充電用の充電端子がカセッテ収納袋によって覆われてしまうため、カセッテ収納袋に電子カセッテを収納した状態ではバッテリに充電を行うことができないという問題があった。
【０００９】
そのため、従来は、カセッテ収納袋から取り出した状態で電子カセッテを充電用のクレードルにセットしておき、使用直前に電子カセッテをクレードルから取り外して、電子カセッテをカセッテ収納袋に収納する収納作業を行わざるを得ない。上述のとおり、カセッテ収納袋が必要な場面は一刻を争う場合が多く、収納作業に要する時間も無駄にできないため、上記問題の解決策が求められていた。
【００１０】
上記問題の解決策として、カセッテ収納袋の一部に、電子カセッテのバッテリ充電端子を外部に露出するための開口や切り欠きを形成することが考えられる。しかし、開口や切り欠きでバッテリ充電端子を露出すると、開口や切り欠きから血液や体液が進入して電子カセッテの本体が汚染される懸念があり、カセッテ収納袋の本来的な機能である汚染保護機能が低下することになるため、採用できない。
【００１１】
上記特許文献１及び２では、上述の課題及びその解決策について明示や示唆もなく何ら考慮されていなかった。
【００１２】
本発明は上述の問題点に鑑みてなされたものであり、カセッテ収納袋の汚染保護機能を低下させることなく、電子カセッテを収納した状態でバッテリへの充電が可能なカセッテ収納袋を提供することを目的とする。
【課題を解決するための手段】
【００１３】
本発明のカセッテ収納袋は、放射線撮影用の電子カセッテであり、充電式のバッテリと前記バッテリへの充電用のバッテリ端子とを有する電子カセッテを内部に収納する袋本体と、前記袋本体の内部に露呈され、前記バッテリ端子と導通可能に接触する第１接点に接続され、前記バッテリに充電を行うための充電器から電力を受電する受電手段と、を備えることを特徴とする。
【００１４】
前記受電手段は、前記第１接点と、袋本体の外部に露呈され、前記充電器と導通可能に接触する第２接点とを有し、前記バッテリと前記充電器とを電気的に接続する接続端子であることを特徴とする。
【００１５】
前記第１接点は、前記袋本体に対して電子カセッテが所定の向きで収納されたときに前記袋本体の内部において前記バッテリ端子と対向する位置に配置されており、前記第２接点は、前記袋本体の外面において前記第１接点と同じ位置に配置されていることが好ましい。
【００１６】
前記接続端子は、第１接点に対応する第１部分と第２接点に対応する第２部分を有する少なくとも１枚の金属片を含むことが好ましい。
【００１７】
前記第１接点と前記第２接点は、接続線を介して接続されていることが好ましい。
【００１８】
前記接続線はフラットな形状をしたフレキシブルケーブルであることが好ましい。
【００１９】
前記フレキシブルケーブルは、フレキシブル基板上に導線がプリントされたプリント配線であることが好ましい。
【００２０】
前記接続線は、前記第２接点から前記第１接点へ至る全長のうち、前記第２接点を基点とする所定範囲が前記袋本体の内面に貼付されていることが好ましい。
【００２１】
前記第１接点は、前記袋本体の内面において前記第２接点とは異なる位置に取り付けられており、前記接続線は、全長に渡って前記袋本体の内面に貼付されていることが好ましい。
【００２２】
前記接続線の一部と前記第１接点は、前記袋本体の内面から分離した状態で設けられており、前記第１接点は、前記接続線が撓む範囲で変位自在であることが好ましい。
【００２３】
前記第１接点と前記第２接点は、前記袋本体よりも硬い材料の支持体上に設けられていることが好ましい。
【００２４】
前記接続端子は、前記第１接点とバッテリ端子、及び前記第２接点と前記充電器の端子との少なくとも一方の接触位置の位置ずれを防止するための嵌合部を有していることが好ましい。
【００２５】
前記受電手段は、前記第１接点と、前記第１接点に接続され、非接触給電装置から非接触に電力を伝送される非接触受電手段とを有することが好ましい。
【００２６】
前記非接触受電手段は、前記非接触給電装置に設けられた平板状の給電電極と対になり、前記給電電極と容量結合をすることにより前記非接触給電装置からの電力を得る平板状の受電電極であることが好ましい。
【００２７】
前記非接触受電手段は、前記非接触給電装置に設けられた給電コイルと対になり、電磁誘導によって前記非接触給電装置からの電力を得る受電コイルであることが好ましい。
【００２８】
前記袋本体内に、前記電子カセッテを収納する第１収納スペースとは別に、前記非接触受電手段を収納する第２収納スペースを備えることが好ましい。
【００２９】
前記第２収納スペースは、前記袋本体の内壁に前記袋本体と一体となって形成された内ポケットによって形成されることが好ましい。
【００３０】
前記内ポケットは、開閉自在であり、前記非接触受電手段を前記袋本体から分離可能であることが好ましい。
【００３１】
前記第２収納スペースは、前記袋本体とは別体に形成された非接触受電手段用収納袋によって形成され、前記非接触受電手段用収納袋が前記袋本体の内壁に取り付けられていることが好ましい。
【００３２】
前記非接触受電手段用収納袋が前記袋本体に対して着脱自在であることが好ましい。
【００３３】
前記非接触受電手段のうち少なくとも一部が導電性プラスチックにより形成されていることが好ましい。
【発明の効果】
【００３４】
本発明によれば、血液等による汚染防止のために電子カセッテを密封するととともに、電子カセッテを収納した状態でバッテリを充電することができるカセッテ収納袋を提供することができる。また、こうしたカセッテ収納袋を安価に提供することができる。
【図面の簡単な説明】
【００３５】
【図１】放射線画像撮影システムの構成を概略的に示す図である。
【図２】放射線検出パネルの構成を概略的に示す図である。
【図３】放射線画像撮影システムの電気的構成を示すブロック図である。
【図４】電子カセッテの構成を示す図である。
【図５】カセッテ収納袋の構成を示す図である。
【図６】接続端子近傍におけるカセッテ収納袋の構成を示す図である。
【図７】カセッテ収納袋に電子カセッテを収納する様態を示す図である。
【図８】カセッテ収納袋に収納した状態で電子カセッテのバッテリを充電する様態を示す図である。
【図９】電子カセッテの接続端子と直接接続されない位置に接続端子を設けたカセッテ収納袋の構成を示す図である。
【図１０】横置きのクレードルによって電子カセッテのバッテリを充電する様態を示す図である。
【図１１】複数の箇所に接続端子を設けたカセッテ収納袋の例を示す図である。
【図１２】第１及び第２接点を１枚の金属片で構成する例を示す説明図である。
【図１３】非接触充電に対応したカセッテ収納袋の概略的構成を示す説明図である。
【図１４】非接触充電に対応したカセッテ収納袋の接続端子近傍の構成を示す図である。
【図１５】非接触充電に対応したカセッテ収納袋を閉じた様子を示す図である。
【図１６】電磁誘導方式により非接触充電を行うカセッテ収納袋の概略的構成を示す説明図である。
【図１７】他の態様を示す非接触充電を行うカセッテ収納袋の概略的構成を示す説明図である。
【発明を実施するための形態】
【００３６】
［第１実施形態］
図１に示すように、放射線画像撮影システム１１は、患者Ｈに放射線Ｘを照射して、患者Ｈの放射線画像を撮影するシステムであり、放射線照射ユニット１２、電子カセッテ１３（放射線検出手段）、コンソール１４、モニタ１５等から構成される。また、放射線画像撮影システム１１は、放射線画像を撮影する専用の撮影室に設置されるだけでなく、患者Ｈに各種処置を施す手術室等に設置される。
【００３７】
放射線照射ユニット１２は、手術台１６に横たえられた患者Ｈに向けて放射線Ｘを照射するユニットであり、自在アーム（図示しない）に取り付けられている。自在アームは、手術台１６に対して放射線照射ユニット１２の位置及び放射線Ｘの照射角度を自在に調節することができる。このため、自在アームによって放射線照射ユニット１２の配置や角度を調節することによって、医師や放射線技師は、患者Ｈの任意の位置に任意の角度で放射線Ｘを照射することができる。放射線照射ユニット１２はコンソール１４と接続されており、放射線Ｘは、コンソール１４で入力される撮影条件にしたがって患者Ｈの撮影部位に適切な線量等で照射される。
【００３８】
電子カセッテ１３は、放射線Ｘを検出する放射線検出装置であり、患者Ｈを介して放射線照射ユニット１２に正対するように配置される。そして、電子カセッテ１３は、放射線照射ユニット１２から放射線Ｘが照射されると、患者Ｈを透過した放射線Ｘを検出し、そのエネルギー分布を反映した放射線画像を生成する。また、電子カセッテ１３は、様々な患者Ｈに対して繰り返し利用されるものであり、患者Ｈの血液や体液等による汚染を防止するためにカセッテ収納袋１７に収納された状態で利用される。さらに、電子カセッテ１３は、緊急の使用に備えて、血液等で汚染されていない清浄なカセッテ収納袋１７に収納された状態で保管管理される。したがって、カセッテ収納袋１７を交換するときを除いて、ほぼ常にカセッテ収納袋１７に収納された状態が維持される。電子カセッテ１３は、カセッテ収納袋１７によって外部から密閉された状態で利用されるため、内蔵するバッテリ３３（図３参照）によって駆動される。また、電子カセッテ１３は、無線通信によってコンソール１４に接続され、カセッテ収納袋１７に収納されたままの状態で、コンソール１４から制御信号等を受信するとともに、生成した放射線画像をコンソール１４に送信する。
【００３９】
カセッテ収納袋１７は、患者Ｈが変わる度に汚染のない新しいものに交換され、使い捨てられる。また、詳細は後述するが、カセッテ収納袋１７には、電子カセッテ１３を収納した状態で、バッテリ３３の充電を行えるように、充電器と電気的に接続されるバッテリ端子３９（図３参照）が設けられる。
【００４０】
コンソール１４は、放射線画像撮影システム１１を統括的に制御する制御装置であり、放射線照射ユニット１２，電子カセッテ１３，モニタ１５等、放射線画像撮影システム１１の各部と、無線または有線で接続される。コンソール１４には、患者Ｈや撮影部位に関する情報や、撮影条件等が入力され、これらの情報に基づいて放射線画像撮影システム１１の各部を制御する。また、コンソール１４は、電子カセッテ１３から放射線画像を受信すると、これに各種画像処理を施して、モニタ１５に表示する。医師等は、こうしてモニタ１５に表示される放射線画像を観察しながら、手術等を行う。
【００４１】
電子カセッテ１３は、例えば、図２に示すように、照射された放射線Ｘを検出する放射線検出パネル２１（図３参照）を有している。放射線検出パネル２１は、ＴＦＴアクティブマトリクス基板２２上に、放射線Ｘを吸収して電荷に変換する電荷発生層が積層されて形成される。電荷発生層は例えばセレンを主成分（例えば含有率５０％以上）とするアモルファスセレンからなり、放射線Ｘが照射されると、照射された放射線量に応じた荷量の電子‐ホール対を内部発生させ、照射された放射線Ｘを電荷へと変換する。もちろん、放射線検出パネル２１としては、Ｘ線をシンチレータによって可視光に変換した後、電荷に変換する間接型でも良い。
【００４２】
ＴＦＴアクティブマトリクス基板２２上には、電荷発生層で発生された電荷を蓄積する蓄積容量と、蓄積容量に蓄積された電荷を読み出すためのＴＦＴを備えた画素２３がマトリクス状に多数個配置されている。放射線Ｘの照射にともなって電荷発生層で発生した電荷は、個々の画素２３の蓄積容量に蓄積される。これにより、被写体Ｈを透過して放射線Ｘに担持されていた画像情報は電荷情報へ変換される。
【００４３】
また、ＴＦＴアクティブマトリクス基板２２には、ゲート配線２４とデータ配線２５が設けられている。ゲート配線２４は、一定方向（行方向）に延設され、個々の画素２３のＴＦＴをオンオフするために複数本設けられている。また、データ配線２５は、ゲート配線２４と直行する方向（列方向）に延設され、オンされたＴＦＴを介して蓄積容量から電荷を読み出す。各々のゲート配線２４はゲート線ドライバ２６に接続されており、各々のデータ配線２５は信号処理部２７に接続されている。
【００４４】
各画素２３の蓄積容量に電荷が蓄積されると、各画素２３のＴＦＴは、ゲート線ドライバ２６からゲート配線２４を介して供給される信号により、行単位で順にオンされ、ＴＦＴがオンされた画素２３の蓄積容量に蓄積された電荷が、電荷信号としてデータ配線２５を伝送されて信号処理部２７に入力される。
【００４５】
信号処理部２７は、各データ配線２５に設けられた増幅器及びサンプルホールド回路を備えており、データ配線２５を通じて伝送された電荷信号は、増幅器で増幅された後、サンプルホールド回路（図示しない）に保持される。また、サンプルホールド回路の出力側にはマルチプレクサ、Ａ／Ｄ変換器が順に接続されている。このため、サンプルホールド回路に保持された電荷信号は、マルチプレクサにシリアルに入力され、Ａ／Ｄ変換器によってデジタルの画像データへ変換される。信号処理部２７のＡ／Ｄ変換器から出力された画像データは、画像メモリ２８に順に記憶される。画像メモリ２８は、少なくとも１枚分の放射線画像が記憶可能な記憶容量を有しているが、複数枚分の放射線画像を記憶可能な記憶容量を有することが好ましい。
【００４６】
図３に示すように、電子カセッテ１３は、カセッテ制御部３１、カセッテ通信部３２、バッテリ３３を備える。カセッテ制御部３１には、ＣＰＵや画像メモリ２８等が設けられており、放射線検出パネル２１の動作を制御する。
【００４７】
また、カセッテ通信部３２は、アンテナ等からなり、カセッテ制御部３１とコンソール１４との間でのデータの送受信を行う。例えば、カセッテ通信部３２は、コンソール通信部５８を介してコンソール１４から放射線Ｘの照射タイミング等の情報を取得し、これをカセッテ制御部３１に入力する。カセッテ制御部３１はこうしてカセッテ通信部３２から入力される各種情報に基づいて、放射線検出パネル２１等を動作させる。また、カセッテ制御部３１は、前述のように画像メモリ２８に記憶した画像データをカセッテ通信部３２を介して無線通信によりコンソール１４に送信する。
【００４８】
バッテリ３３は、電子カセッテ１３の各部に電力を供給する内蔵電源であり、充電が可能な充電式の電源である。このため、バッテリ３３には充電器から給電を受けるためのバッテリ端子３５（バッテリ接続手段）が設けられている。こうしてバッテリ３３に設けられた接続端子３５は、後述するように、カセッテ収納袋１７を介して充電器として機能するクレードル３６と接続される。クレードル３６は、電源ケーブル４１を介して外部電源に接続されて、バッテリ３３に対して電力を供給する。
【００４９】
また、カセッテ収納袋１７は、電子カセッテ１３を収納する袋本体３８と、この袋本体３８に設けられ、バッテリ端子３５と接続される接続端子３９とからなる。接続端子３９は、カセッテ収納袋１７の内部の電子カセッテ１３のバッテリ３３と、カセッテ収納袋１７の外側のクレードル３６とを電気的に導通させる接続端子である。このため、カセッテ収納袋１７は、電子カセッテ１３を内部に収納した状態でクレードル３６からバッテリ３３への電力の供給を可能とする。例えば、電子カセッテ１３を緊急使用に備えて保管しておく場合、電子カセッテ１３をカセッテ収納袋１７に収納した状態でクレードル３６にセットする。電子カセッテ１３がクレードル３６にセットされると、接続端子３９を介して、クレードル端子４２とバッテリ端子３３が導通可能に接続されて、クレードル３６からバッテリ３３への充電が行われる。
【００５０】
放射線照射ユニット１２は、放射線源４６、線源制御部４７、線源通信部４９等を備える。放射線源４６は、放射線Ｘを発生する装置である。放射線源４６が放射線Ｘを照射するタイミングや、放射線Ｘの線量等は、線源制御部４７によって制御される。線源制御部４７は、コンソール１４に接続された撮影スイッチ４８の操作を監視し、撮影スイッチ４８がオンにされたときに放射線源４６から放射線Ｘを照射させる。また、線源制御部４７は、コンソール１４とのデータの送受信を行う線源通信部４９と接続されており、線源通信部４９を介してコンソール１４から撮影条件に関する設定情報が入力される。線源制御部４７は、こうして入力された設定情報等にしたがって放射線源４６を制御し、適切なタイミング及び線量の放射線Ｘを患者Ｈの撮影部位に向けて照射する。
【００５１】
コンソール１４は、撮影条件管理部５１、患者情報管理部５２、カセッテ情報管理部５３、画像処理部５４、画像メモリ５６、コンソール制御部５７、コンソール通信部５８等を備える。撮影条件管理部５１は、放射線源４６の制御に必要な撮影条件についての設定情報を管理する。撮影条件は、例えば、放射線源４６の管電圧，管電流，放射線Ｘの照射時間等であり、患者Ｈや、患者Ｈの撮影部位等に応じて各々異なる。患者情報管理部５２は、患者Ｈについての情報（以下、患者情報という）を管理する。患者情報は、例えば、患者Ｈの氏名やＩＤ、年齢、性別、過去に撮影した放射線画像等、患者Ｈの個人についての情報である。カセッテ情報管理部５３は、電子カセッテ１３を識別するＩＤや、累積被曝線量等、個々の電子カセッテ１３についての情報を管理する。
【００５２】
画像処理部５４は、電子カセッテ１３から送信された放射線画像に各種画像処理を施し、画像メモリ５６に記憶する。画像メモリ５６は、電子カセッテ１３に設けられた画像メモリ２８と比べて大容量のメモリであり、複数の患者Ｈの各々について複数の放射線画像を記憶することができる。
【００５３】
コンソール制御部５７は、上述のようなコンソール１４を構成する各部５１，５２，５３，５４，５６，５８を統括的に制御する。また、コンソール通信部５８は、アンテナや通信ケーブル等からなり、コンソール制御部５７の制御によって、電子カセッテ１３や放射線照射ユニット１２とデータ通信を行う。
【００５４】
図４（Ａ）に示すように、電子カセッテ１３は、ケーシング６１と、ケーシング６１内部に配置されたグリッド６２、放射線検出パネル２１、鉛板６３、カセッテ制御部３１、カセッテ通信部３２、バッテリ３３等からなり、平板状に形成される。電子カセッテ１３は、例えば、半切サイズ（３８３．５ｍｍ×４５９．５ｍｍ）のフィルム用またはＩＰ（イメージングプレート）用のカセッテと同様の国際規格ＩＳＯ４０９０：２００１に準拠した外形サイズを有しており、フィルム用やＩＰ用の既存の撮影台に取り付け可能である。
【００５５】
ケーシング６１は、少なくとも放射線Ｘが入射する入射面６６が放射線Ｘを透過する材料からなり、電子カセッテ１３の外形を形成する。また、グリッド６２、放射線検出パネル２１、及び鉛板６３は、入射面６６側から、グリッド６２、放射線検出パネル２１、鉛板６３の順に配置される。グリッド６２は、放射線Ｘを透過する材料と放射線Ｘを吸収する材料とを交互に配置して形成され、患者Ｈを透過した放射線Ｘのうち散乱線を除去し、入射面６６に対してほぼ垂直に入射する放射線Ｘを透過する。鉛板６３は、前述のように放射線検出パネル２１の背面に配置され、放射線Ｘのバック散乱線を吸収する。入射面６６には、この面が入射面６６であることを示すとともに、入射面６６の中心と撮影部位の中心を合わせるための目安となる基準線６７が設けられている。
【００５６】
カセッテ制御部３１は、電子カセッテ１３の短辺近傍に配置される。カセッテ通信部３２やバッテリ３３も、カセッテ制御部３１と同様に、電子カセッテ１３の短辺近傍に配置される。
【００５７】
また、図４（Ｂ）に示すように、バッテリ端子３５は、電子カセッテ１３の短辺をなすケーシング６１の側面６８に設けられており、必要に応じた数の複数の接点６９が露呈する。また、バッテリ端子３５の両端には、露呈された接点６９の両脇に嵌合凹部７０が設けられている。嵌合凹部７０は、後述するように、電子カセッテ１３をカセッテ収納袋１７に収納したときに、カセッテ収納袋１７の嵌合凸部７８（図６参照）と嵌合される。嵌合凹部７０及び嵌合凸部７８とが嵌合されることにより、バッテリ端子３５と接続端子３９とが、位置ずれすることなく、適正な位置で接続される。これにより、バッテリ端子３５と接続端子３９の安定した接触が確保される。
【００５８】
図５（Ａ）及び（Ｂ）に示すように、カセッテ収納袋１７の袋本体３８は、電子カセッテ１３とほぼ同形状であり、そのサイズは、電子カセッテ１３の出し入れをスムーズにできるように、電子カセッテ１３の外形サイズよりも若干大きめである。袋本体３８は、電子カセッテ１３を収納したときに、電子カセッテ１３の入射面６６、背面と対向する前面７２、背面７５を有しており、前面７２、背面７５の短辺側の一つの側面７２は、電子カセッテ１３の出し入れ口（開口７２ａ（図６参照））を開閉するフラップ７４となっている。また、カセッテ収納袋１７は、放射線Ｘや、電子カセッテ１３とコンソール１４のデータの送受信に用いられる無線通信用の電波を透過する材料（例えば、樹脂材料等）からなる。
【００５９】
フラップ７４の内面側と、背面７５の対応箇所には、例えばマジックテープ（登録商標）などからなる接着／剥離が自在な接着部７６ａ，７６ｂが設けられ、カセッテ収納袋１７に電子カセッテ１３を収納したあと、これらの接着部７６ａ，７６ｂを接触させるようにフラップ７４を閉じることにより、電子カセッテ１３の外周面全体がカセッテ収納袋１７によって覆われる。一方、電子カセッテ１３の使用後に、カセッテ収納袋１７を交換するときには、フラップ７４の端を持ってこれらの接着部７６ａ，７６ｂを剥離することにより、側面７２が開放されて、電子カセッテ１３が取り出される。
【００６０】
カセッテ収納袋１７の側面７２（フラップ７４の根元部分）には接続端子３９が設けられる。電子カセッテ１３は、その側面６８と袋本体３８の側面７２が対面する向きで袋本体３８に収納される。接続端子３９は、袋本体３８の短辺方向において、電子カセッテ１３のバッテリ端子３５の位置に対応した位置に設けられる。このため、電子カセッテ１３をカセッテ収納袋１７に収納し、フラップ７４を閉じたときに、接続端子３９とバッテリ端子３５とは接続可能となっている。
【００６１】
図６（Ａ）に示すように、接続端子３９は、フラップ７４（側面７２）の内面側に接点７７が露呈される。この接点７７は、バッテリ端子３５の露呈する接点６９（図４参照）に各々対応して設けられている。接続端子３９には、接点７７の両脇に、嵌合凸部７８が設けられている。嵌合凸部７８は、バッテリ端子３５の嵌合凹部７０に対応する位置及び大きさに設けられており、嵌合凸部７８、嵌合凹部７０が嵌合することにより、接点７７と接点６９が適正な位置で接触する。
【００６２】
さらに、接点７７及び嵌合凸部７８は、例えば、フレキシブル基板に使用されるプラスチックシートなど、袋本体３８の素材よりも硬い材料からなる平板状の支持体７９上に形成されている。このため、接点７７及び嵌合凸部７８は、各々の間隔や平坦性が保たれ、バッテリ端子３５及び接続端子３９の安定した接続が可能になる。
【００６３】
また、図６（Ｂ）に示すように、接点７７は、フラップ７４の外側の面（袋本体３８の外面）にも露呈されており、この面でクレードル端子４２と接触する。つまり、接点７７は、袋本体３８の内部に露呈され、バッテリ端子３５と接触する第１接点と、袋本体３８の外部に露呈され、クレードル端子４２と接触する第２接点の２つの接点７７として機能する。接点７７としては、２枚の金属片で構成し、これらを導通可能な状態で支持体７９上に形成し、一方の金属片を第１接点として、他方を第２接点として機能させてもよいし、あるいは、１枚の金属片で構成し、その表裏をそれぞれ第１接点及び第２接点として機能させてもよい。
【００６４】
支持体７９への袋本体３８への取り付け方法としては、例えば、袋本体３８の接点７７に対応する箇所に接点７７を露呈する開口を形成し、この開口を覆うように支持体７９が接着により貼付される。これにより、接点７７は、袋本体３８の内部と外部の両方に露呈される。
【００６５】
電子カセッテ１３がカセッテ収納袋１７に収納された状態で、クレードル３６にセットされると、接点７７とクレードル３６のクレードル端子４２が接触する。これにより、クレードル端子４２、接続端子３９、バッテリ端子３５が導通可能に接続されて、クレードル３６からバッテリ３３への給電経路が構成され、給電経路を通じて、外部電源からバッテリ３３に電力が供給される。
【００６６】
図７（Ａ）に示すように、電子カセッテ１３をカセッテ収納袋１７に収納する場合には、まず、フラップ７４を開き、カセッテ収納袋１７の側面７２の開口７２ａを露呈させる。そして、開口７２ａから電子カセッテ１３をカセッテ収納袋１７に挿入する。図７（Ｂ）に示すように、電子カセッテ１３は、バッテリ端子３５と接続端子３９が対向する向きで、カセッテ収納袋１７に挿入される。
【００６７】
電子カセッテ１３をカセッテ収納袋１７に挿入した後、図７（Ｃ）に示すように、フラップ７４が閉じられる。この際に、嵌合凸部７８を嵌合凹部７０に嵌合させ、電子カセッテ１３とカセッテ収納袋１７の接点６９，７７を接触させつつ、フラップ７４を閉じ、接着部７６ａ，７６ｂを接着する。これにより、カセッテ収納袋１７の側面７２に、接点７７が露呈されつつ、電子カセッテ１３の全体がカセッテ収納袋１７に覆われる。
【００６８】
図８に示すように、カセッテ収納袋１７に収納された電子カセッテ１３は、クレードル３６に取り付けた状態で保管管理される。クレードル３６は、例えば電子カセッテ１３を、その側面６８（カセッテ収納袋１７の側面７２に対応する面）を下向きとする縦置きの姿勢で保持する。クレードル３６の上面には電子カセッテ１３が挿入される開口８１が設けられる。開口８１は、電子カセッテ１３の側面６８とほぼ同じ形状であり、カセッテ収納袋１７は、収納された電子カセッテ１３を受け入れ可能な大きさに形成される。開口８１の深さは、電子カセッテ１３を縦置きの姿勢に保てる程度の深さに形成される。
【００６９】
開口８１の底部には、電子カセッテ１３を開口８１に挿入したときに接続端子３９と接続するクレードル端子４２が設けられる。開口８１に電子カセッテ１３を挿入すると、クレードル端子４２とバッテリ端子３５が、接続端子３９を介して接続されて、バッテリ３３の充電が開始される。
【００７０】
本発明のカセッテ収納袋１７は、収納された電子カセッテ１３のバッテリ端子３５とクレードル端子４２を接続する接続端子３９を備えているので、電子カセッテ１３を収納した状態で、バッテリ３３への充電が可能になる。これにより、電子カセッテ１３を、緊急時の使用に備えて、カセッテ収納袋１７に収容したままの状態で、保管管理することができる。また、カセッテ収納袋１７は、クレードル端子４２と接触する接点７７を外部に露呈させるという簡易な構造であるので、例えば、接続端子３９を開閉するためのフタを設けるといった複雑な構造を持つ収納袋と比較して、安価かつ容易に製造することができる。このため、カセッテ収納袋１７は使い捨ての用途に特に好適である。
【００７１】
なお、上記第１実施形態では、接続端子３９の接点７７を、バッテリ端子３５と接触する第１接点と、クレードル端子４２と接触する第２接点の２つの接点として機能させる例、つまり、第２接点の位置が、袋本体３８の外面において、第１接点と同じ位置に配置される例で説明したが、第１接点と第２接点を異なる位置に配置してもよい。
【００７２】
図９（Ａ）、（Ｂ）に示すカセッテ収納袋８６は、第１接点と第２接点を異なる位置に配置した例である。カセッテ収納袋８６は、接続端子８８が、第１接点９４を有する第１端子部８８ａと、第２接点８９を有する第２端子部８８ｂと、第１端子部８８ａと第２端子部８８ｂを接続する接続線であるプリント配線９１とから構成されており、第１接点９４と第２接点８９が異なる位置に配置されている。
【００７３】
具体的には、第１接点９４は、上記第１実施形態の接点７７と同様に、袋本体３８の短手方向の側面７２に配置されており、第１接点９４を袋本体３８の内部に露呈する向きで、第１端子部８８ａがフラップ７４に取り付けられている。一方、第２接点８９は、袋本体３８の長手方向の側面８７に配置されており、第２接点９４を袋本体３８の外部に露呈する向きで第２端子部８８ｂが側面８７に取り付けられている。
【００７４】
第１端子部８８ａ、第２端子部８８ｂのそれぞれは、第１接点９４及び第２接点８９が形成される支持体７９、９０上に形成されている。支持体７９、９０は、第１実施形態と同様に袋本体３８よりも硬い材料からなり、第１接点９４、第２接点８９のそれぞれの接触を安定させる。また、支持体７９には、第１接点９４の両脇に、第１実施形態と同様の嵌合凸部７８が設けられている。
【００７５】
配線９１は、凹凸の無いフラットな形状をしたフラットケーブルであり、例えば、フラットな形状をした樹脂製のフレキシブル基板９２上に、金属製の導線９３をプリントしたプリント配線である。導線９３の一端は第１接点９４と、他端が第２接点８９と接続される。配線９１は、その全長に渡って袋本体３８の内面に接着剤などによって貼付されている。配線９１は、放射線Ｘによる配線９１の写り込みが無いように、袋本体３８の背面側に取り付けられる。ここでは、配線９１を袋本体３８の背面側に設けるが、写り込み防止のためには配線９１を袋本体３８の側面に設けても良い。また、配線９１は、導線９３が剥き出しにならないように、導線９３がプリントされたプリント面を接着面として袋本体３８に貼付される。
【００７６】
配線９１としてフラットケーブルが使用され、配線９１の全長に渡って袋本体３８の内面に貼付されているので、電子カセッテ１３をカセッテ収納袋８６に収納するときに電子カセッテ１３が配線９１に引っ掛かることが無い。また、フラットケーブルとしてプリント配線を使用しているので、部品コストが安いため、使い捨てのカセッテ収納袋８６には、好適である。
【００７７】
このように配線９１を用いて、第１接点９４と第２接点８８が異なる位置に配置されたカセッテ収納袋８６を使用することで、次のようなメリットがある。バッテリ３３を充電するクレードルには、第１実施形態のクレードル３６のように、電子カセッテ１３の長手方向を垂直になる縦置き姿勢で保持するタイプの他に、図１０に示すクレードル９６のように、電子カセッテ１３の短手方向を垂直になる横置き姿勢で保持するタイプもある。
【００７８】
クレードル９６は、電子カセッテ１８を受け入れる開口９７の大きさが異なる以外は、クレードル３６と同様であり、開口９７の底部には、クレードル端子４２が設けられている。カセッテ収納袋８６の第２端子部８８ｂは、クレードル９６のクレードル端子４２の位置と対応する位置に配置されている。このため、電子カセッテ１３をカセッテ収納袋８６に収納すれば、クレードル９６を使用してバッテリ３３の充電が可能になる。
【００７９】
比較的大規模な医療施設においては、こうした横置きタイプのクレードル９６や縦置きタイプのクレードル３６など複数種類のクレードルが混在している医療施設も多い。カセッテ収納袋８６のように、第１接点９４と第２接点８９が異なる位置に配置された収納袋を用いれば、電子カセッテ１３のバッテリ端子１３の位置に関わらず、異なる種類のクレードルを使用することが可能となる。クレードルの選択肢が広がることは、医療施設における電子カセッテ１３の運用において有利である。
【００８０】
上記第１実施形態では、第１接点９４を袋本体３８の短手方向の側面に、第２接点８９を長手方向の側面に配置した例で説明したが、第１接点９４と第２接点８９の位置は、袋本体３８の前面や背面に配置してもよい。第１接点９４と第２接点８９の位置は、電子カセッテ１３のバッテリ端子３５の位置や、クレードル３６、９６のクレードル端子４２の位置に応じて適宜決められる。
【００８１】
また、上記第１実施形態において、配線９１を全長に渡って袋本体３８に貼付した例で説明したが、配線９１の一部を貼付せずに、袋本体３８から分離させておいてもよい。例えば、配線９１の一端が接続される第２接点８９を基点にして全長よりも短い所定範囲を袋本体３８に貼付し、残りの部分を袋本体３８から分離させておいてもよい。この場合、配線９１の分離された部分の一端に接続される第１接点９４についても袋本体３８に取り付けずに、袋本体３８から分離させておき、第１接点９４を、配線９１が撓む範囲で変位自在にしておく。こうすると、例えば、バッテリ端子の位置が異なる複数種類の電子カセッテをカセッテ収納袋に収納した場合でも、第１接点９４を変位させることで、それぞれのバッテリ端子に移動させることが可能となる。
【００８２】
第２接点８９は、袋本体３８の内部にある第１接点９４と異なり、袋本体３８の外部にあるので、第２接点８９を袋本体３８から分離させると袋本体３８からぶら下がった状態になり、撮影の際に邪魔になるので、第２接点８９については袋本体３８に取り付けて位置を固定しておくことが好ましい。
【００８３】
上記第１実施形態では、配線９１としてプリント配線を使用した例で説明したが、プリント配線以外でも、例えば、１本、１本の導線が被覆されたケーブルなどを使用してもよいし、フラットケーブルでなくてもよい。しかし、コストや電子カセッテの収納のし易さを考慮すると、上記第１実施形態のようにプリント配線が好ましい。また、配線９１の少なくとも一部を袋本体３８に貼付した例で説明したが、配線９１の全部が袋本体３８から分離していてもよい。
【００８４】
なお、上述の第１実施形態や変形例では、カセッテ収納袋１７，８６の１箇所にクレードル端子４２と接続する接点７７，８９（第２接点）を設ける例を説明したが、これに限らず、カセッテ収納袋の複数箇所に第２接点を設けても良い。例えば、図１１に示すカセッテ収納袋９９のように、短手方向の側面７２と、長手方向の側面８７の２箇所に第２接点として機能する接点１０１，１０２を設けても良い。こうして複数の接点１０１，１０２を設ける場合には、カセッテ収納袋９９の内部に配置される第１接点から配線９１のような接続線を延ばし、接点１０１，１０２に分岐させれば良い。こうして複数箇所に第２接点を設けておくと、縦置きのクレードル３６と、横置きのクレードル９６の双方に共通のカセッテ収納袋を用いることができる。
【００８５】
なお、上述の第１実施形態では、バッテリ端子３５、接続端子８８のように、第１接点，第２接点を有する端子部として、ほぼ平坦な形状の端子部を設ける例を説明したが、安定した接続ができれば具体的な形状等は任意のものを用いることができる。例えば、互いに嵌合する凹凸端部を有し、この凹凸の周面に接点を備えるような端子部用いても良い。こうした凹凸形状を持つ端子部を用いる場合には、各接点の接触を安定化させるための嵌合凸部７８及び嵌合凹部７０は不要である。
【００８６】
なお、電子カセッテ１３、カセッテ収納袋、クレードル３６のうち、少なくともいずれか一つに、バッテリ端子３５、接続端子３９、クレードル端子４２の各端子が正しく接続されているか否かを報知するインジケータを備えることが好ましい。こうしたインジケータは、例えば、ＬＥＤ等の発光装置やスピーカ等によって構成することができる。この場合、光の点灯，点滅や音声によって警告する。これにより、バッテリ３３の残量やバッテリ３３に充電用の電力を供給されているか否かを確認することができる。
【００８７】
また、上述の第１実施形態では、電子カセッテ１３に基準線６７を設けた例を説明したが、カセッテ収納袋が不透明または半透明な材料からなる場合には、電子カセッテ１３をカセッテ収納袋に収納することによって基準線６７が視認できないか、視認しにくくなってしまう。このため、カセッテ収納袋は基準線６７等の電子カセッテ１３の表面に設けられた表示等を視認できるように、透明な材料によって形成することが好ましい。また、カセッテ収納袋を不透明な材料や半透明な材料で形成する場合には、カセッテ収納袋の表面に基準線６７のかわりとなる指標等を印刷などにより設けることが好ましい。
【００８８】
さらに、接続端子の位置などによって、収納袋に電子カセッテ１３を収納する向きが決まっている場合には、カセッテ収納袋１７の外面や内面、電子カセッテ１３の外面等に、正しい収納向きを示すマーク等の表示を設けておくことが好ましい。
【００８９】
また、カセッテ収納袋に設けた接続端子を充電用に用いた例で説明したが、電子カセッテ１３の使用時に、接続端子に、電源ケーブルを接続して、外部電源から電力を供給する給電用の端子として用いても良い。こうすれば、バッテリの残量がなくなった場合でも撮影を行うことができる。
【００９０】
なお、接続端子３９の接点７７のように、第１接点と第２接点が一体に形成された接続端子は、上述の第１実施形態で説明した接続端子３９の様態に限らない。例えば、図１２（Ａ）に示すように、接続端子１１０の各接点をコの字状のコの字部材１１１で形成しても良い。コの字部材１１１は１枚の金属片からなり、袋本体３８の内部に露呈される第１部分１１２が第１接点として機能し、袋本体３８の外部に露呈される第２部分１１３が第２接点として機能する。また、図１２（Ｂ）に示すように、接続端子１１６の各接点をクランク状のクランク部材１１７で形成しても良い。クランク部材１１７は１枚の金属片からなり、袋本体３８の内部に露呈される第１部分１１８が第１接点として機能し、袋本体３８の外部に露呈される第２部分１１９が第２接点として機能する。ここでは、接続端子１１０，１１７の全ての接点をコの字部材１１１やクランク部材１１７で形成する例を挙げたが、接続端子が含む接点の一部をコの字部材１１１やクランク部材１１７で構成しても良い。また、第１接点及び第２接点を１枚の金属片で構成する場合、金属片の形状は上述のコの字部材１１１やクランク部材１１７に限らず、任意の形状に構成して良い。
【００９１】
［第２実施形態］
上述の第１実施形態においては、カセッテ収納袋１７，８６，９９の外面に露呈された接点（第２接点）をクレードル端子４２に接続することにより、電子カセッテ１３のバッテリ３３を充電する態様を説明したがこれに限らない。例えば、直接的な接続によらない充電方法（いわゆる非接触充電）によってバッテリ３３を充電できるようにしても良い。非接触充電を行う場合のカセッテ収納袋の例を、以下に第２実施形態として説明する。但し、第１実施形態で説明したものと同様の部材等については、図示や説明を省略する。
【００９２】
図１３に示すように、カセッテ収納袋２０１は、非接触給電装置２０２によって電子カセッテ１３を充電する場合に使用される収納袋であり、袋本体２０３と、接続端子２０４と、受電電極２０５と、充電回路２０６とを備える。
【００９３】
袋本体２０３は、第１収納スペース２０７と第２収納スペース２０８を有する。第１収納スペース２０７は、袋本体２０３によって形成され、電子カセッテ１３が収納される。第２収納スペース２０８は、袋本体２０３の内面に内ポケット状に形成され（図１４参照）、受電電極２０５と充電電極２０６が収納される。
【００９４】
受電電極２０５は、銅やアルミニウム等の金属製平板であり、電子カセッテ１３とほぼ同じ大きさ及び形状である。受電電極２０５は、カセッテ収納袋２０１に収納された電子カセッテ１３が非接触給電装置２０２にセットされたときに、非接触給電装置２０２の給電電極２０９と対になって容量結合（いわゆるコンデンサ。電界結合とも言う）を形成する。受電電極２０５は、給電電極２０９との容量結合により、交流電力を受電する。受電電極２０５は、充電回路２０６に接続される。
【００９５】
充電回路２０６は、ＡＣ／ＤＣコンバータ（整流器）とＤＣレギュレータとを有し、受電電極２０５で受電する交流電力を直流電力に変換するとともに、バッテリ３３の充電に適した電圧を出力する。充電回路２０６は、フレキシブル基板２１１によって接続端子２０４に接続される。接続端子２０４は、電子カセッテ１３を収納したときに、バッテリ端子３５と接続されるように、フラップ７４の内面側に設けられている（図１４参照）。このため、充電回路２０６が出力する電圧は、接続端子２０４及びバッテリ端子３５を介してバッテリ３３に入力され、バッテリ３３を充電する。また、充電回路２０６は、受電電極２０５と電子カセッテ１３の間に位置するように、受電電極２０５の背面に配置されていても良く、受電電極２０５に並べて配置されていても良い。
【００９６】
非接触給電装置２０２は、給電電極２０９と交流電源２１０とを備える。給電電極２０９は、受電電極２０５と同様の金属製平板であり、交流電源２１０に接続されている。電子カセッテ１３が、カセッテ収納袋２０１に収納された状態で、給電電極２０９と受電電極２０５が平行に向き合い、かつ、給電電極２０９と受電電極２０５との距離が数ｍｍ程度となるように非接触給電装置２０２にセットされることにより、給電電極２０９と受電電極２０５は容量結合を形成する。交流電源２１０は、給電電極２０９に接続されており、給電電極２０９と受電電極２０５との容量結合を介して、交流電力をバッテリ３３に送電する。なお、非接触給電装置２０２は、例えば、手術台１６内に配設される電子カセッテの収納スロットと一体に設けても良いし、電子カセッテ１３の保管場所等に手術台１６等から独立した装置として設けられていても良い。
【００９７】
また、図示を省略するが、非接触給電装置２０２には、カセッテ収納袋２０１に収納された状態の電子カセッテ１３をセットしたときに、給電電極２０９と受電電極２０５の位置関係が送電効率が良いように保持する保持機構を備えることが好ましい。非接触給電装置２０２が電子カセッテ１３を載置して給電するタイプの装置である場合、保持機構は、例えば、電子カセッテ１３と嵌合する嵌合溝や電子カセッテ１３を係止する係止爪である。非接触給電装置２０２が電子カセッテ１３を挿し込むスロット状の形態の場合には、例えば、電子カセッテ１３を挿し込むスロットが保持機構である。
【００９８】
図１４に示すように、第２収納スペース２０８を形成する内ポケット２１２は、袋本体２０３内のフラップ７４が延伸して設けられた面２１３ｂの内面に設けられ、電子カセッテ１３の出し入れ口である袋本体２０３の開口７２ａに向けて、受電電極２０５及び充電回路２０６の出し入れ口となる開口２１４が設けられている。開口２１４には、フラップ２１５が設けられており、接着／剥離が自在な接着部（図示しない）によって開閉自在となっている。フラップ２１５は、開口２１３の全幅ではなく、部分的に設けられており、フラップ２１５によって閉じられない部分には充電回路２０６と接続端子２０４を接続するフレキシブル基板２１１が挿通される。
【００９９】
カセッテ収納袋２０１では、フラップ７４の綴じ代が形成される表面２１３ａがＸ線の入射面であり、電子カセッテ１３は、表面２１３ａ側から、グリッド６２，放射線検出パネル２１，鉛板６３の順に配置される向きで開口７２ａから第１収納スペース２０７に収納される。すなわち、前述の第１実施形態で説明したカセッテ収納袋１７，８６，９９では、フラップ７４の綴じ代がない面がＸ線が入射される面であり、裏面側にフラップ７４の綴じ代が形成されるが、カセッテ収納袋２０１では、この点が逆になっている。これは、フレキシブル基板２１１の長さを抑え、かつ、接続端子２０４をフラップ７４（袋本体２０３）と一体に形成し、断線等のフレキシブル基板２１１と接続端子２０４との接続の不具合を低減したり、検出するＸ線画像へのフレキシブル基板２１１の写り込みを防ぐためである。内ポケット２１２をフラップ７４が設けられていない面２１３ａの内面側に設ける場合には、例えば、接続端子２０４をフラップ７４（袋本体２０３）と別体に形成したり、袋本体２０３に沿って第１収納スペース２０７内を迂回して配線する必要がある。
【０１００】
接続端子２０４は、上述のように収納される電子カセッテ１３のバッテリ端子３５に対応する位置に、フラップ７４の内面に設けられる。また、接続端子２０４は、袋本体３８の素材よりも硬い材料からなる平板状の支持体７９上に設けられ、接点２１６がフラップ７４の内面側に露呈されている。接点２１６は、フラップ７４が閉じられたときにバッテリ端子３５の接点６９と接触し、充電回路２０６とバッテリ３３を接続する。接点２１６の両脇には、バッテリ端子３５の嵌合凸部７８と嵌合する嵌合凸部７８は、嵌合凸部７８の位置に対応して、接点２１６の両脇に設けられている。
【０１０１】
なお、図１５に示すように、接続端子２０４が有する接点は、バッテリ端子３５の接点６９と接触する内面側の接点２１６（第１接点）のみであり、カセッテ収納袋２０１の外面には接点（第２接点）を露呈しない。
【０１０２】
上述のカセッテ収納袋２０１によれば、カセッテ収納袋２０１に収納したまま電子カセッテ１３のバッテリ３３を非接触充電することができる。
【０１０３】
また、カセッテ収納袋２０１は、接続端子２０４の接点が、フラップ７４の内側に露呈され、バッテリ端子３５の接点６９と接触する接点２１６だけである。このため、前述の第１実施形態のカセッテ収納袋１７，８６，９９のように袋本体の外面にも接点を露呈する場合よりも接続端子２０４の構造が簡素であるため、より容易に製造することができる。
【０１０４】
さらに、カセッテ収納袋２０１によれば、受電電極２０５や充電回路２０６等の非接触充電用部材が備えられていない電子カセッテ１３も非接触充電を可能とする。電子カセッテ１３に非接触充電用部材を搭載する場合、バッテリ３３や放射線検出パネル２１等の電子カセッテ１３内の他の部材との位置関係によって受電電極２０５の大きさや形状が制約される。しかし、カセッテ収納袋２０１では受電電極２０５の配置や大きさ、形状等の制約が殆ど無く、電子カセッテ１３とほぼ同程度の大きさ（あるいは電子カセッテ１３よりも大きい）の広面積の受電電極２０５を用いることができる。受電電極２０５の面積は、単位時間あたりの電力の伝送量に影響し、面積が大きいほど電力の伝送量が大きい。したがって、非接触充電に非対応の電子カセッテ１３は、カセッテ収納袋２０１に収納することにより、非接触充電に対応した電子カセッテよりも急速充電が可能である。
【０１０５】
カセッテ収納袋２０１は、救急現場や手術現場等で緊急にできるように、電子カセッテ１３を予め収納して防汚しつつ、バッテリ３３の充電を保つのに特に好適であるが、カセッテ収納袋２０１は、単に非接触充電に非対応の電子カセッテ１３を非接触充電可能なようにするためのアタッチメントとして利用しても良い。
【０１０６】
また、カセッテ収納袋２０１は、非接触充電用部材である受電電極２０５や充電回路２０６を開閉可能な内ポケット２１２に収納する。このため、手術現場等でカセッテ収納袋２０１に収納した電子カセッテ１３を使用した後、カセッテ収納袋２０１を破棄処理（例えば加熱処理。洗浄等の再生処理でも良い。）を行う場合に、金属を含む受電電極２０５や充電回路２０６を内ポケット２１２から容易に取り外し、袋本体２０３から分別することができる。受電電極２０５や充電回路２０６は、他の清浄なカセッテ収納袋２０１の内ポケット２１２に収納し、充電回路２０６を接続端子２０４に接続するだけで、容易に再利用することもできる。
【０１０７】
なお、上述の第２実施形態では、カセッテ収納袋２０１がいわゆる容量結合方式の非接触充電に対応するように形成されている例を説明したが、電磁誘導方式や磁気結合方式、ＬＣ共振回路等を形成する共鳴方式、マイクロ波帯の電磁波を送信／受信するマイクロ波給電方式、その他、レーザー給電方式や超音波給電方式等、任意の非接触給電方式を採用することができる。例えば、電磁誘導方式を採用する場合、図１６に示すカセッテ収納袋２２０のように、前述の容量結合方式のカセッテ収納袋２０１の受電電極２０５の代わりに、受電コイル２２１を設ければ良い。但し、カセッテ収納袋２２０に電子カセッテ１３を収納する場合には、電磁誘導方式に対応した非接触給電装置２２２を用いる必要がある。非接触給電装置２２２は、例えば、容量結合方式の非接触給電装置２０２の給電電極２０９の代わりに、給電コイル２２３に給電コイル２２３を備え、電磁誘導により受電コイル２２１に電力を送電する。ここでは電磁誘導方式を例にしたが、カセッテ収納袋２２０の第２収納スペース２０８に非接触給電用の部材を収納することで、他の方式の非接触給電方法についても同様に対応することができる。
【０１０８】
なお、上述の第２実施形態では、カセッテ収納袋２０１に受電電極２０５や充電回路２０６を収納する第２収納スペース２０８を形成するために、袋本体２０３の内面に内ポケット２１２を設ける例を説明したが、カセッテ収納袋２０１に受電電極２０５や充電回路２０６を設ける態様はこの例に限らない。例えば、図１７に示すカセッテ収納袋２３０のように、袋本体２３１とは別体に設けられ、第２収納スペース２０７を形成する回路収納袋２３２に受電電極２０５や充電回路２０６を収納し、回路収納袋２３２を袋本体２３３の内壁に取り付け、回路収納袋２３２から延設されたフレキシブル基板２１１を接続端子２０４に接続することによってカセッテ収納袋を形成しても良い。回路収納袋２３２は、例えば袋本体２３１と同じ材料からなり、第２収納スペース２０７を形成するとともに、受電電極２０５を出し入れ可能なように開閉自在に設けられている。また、回路収納袋２３２は、両面テープやマジックテープ等の着脱自在の接着／剥離が自在な接着部材、加熱することによって接着剤となるホットメルト材等によって袋本体２３１の内壁に貼り付けられる。回路収納袋２３２は、カセッテ収納袋２３０の破棄処理時に、汚染された袋本体２３１と分離可能なように設けられていることが特に好ましく、少なくとも袋本体２３１や回路収納袋２３２から受電電極２０５や充電回路２０６を容易に分別できるようにしておくことが好ましい。この場合、回路収納袋２３２は、カセッテ収納袋２０１の内ポケット２１２のように開閉自在にしておいても良いし、回路収納袋２３２が袋本体２３１に着脱自在になるように取り付けておいても良い。
【０１０９】
なお、上述の第２実施形態及び変形例では、非接触充電に対応したカセッテ収納袋２０１，２２０，２３０を説明したが、これらに用いられる受電電極２０５や受電コイル２２１及び非接触給電装置２０２，２２２の給電電極２０９や給電コイル２２３の大きさや形状、受電電極２０５と給電電極２０９による電気容量、受電コイル２２１と給電コイル２２３のインダクタンス、送電する電力量等の充電条件等は、カセッテ収納袋２０１，２２０，２３０に電子カセッテ１３が収納されることを前提に予め最適化されていることが好ましい。また、充電条件等は、カセッテ収納袋２０１，２２０，２３０（電子カセッテ１３）と非接触給電装置２０２，２２２との実際の距離や向き等の位置関係に応じて、最適化しても良い。この場合、コンソール１４や非接触給電装置２０２，２２２、あるいはカセッテ収納袋２０１，２２０，２３０に、充電条件を判定し、充電条件が最適化されるように送電量等を調節する制御部を設けておくことが好ましい。
【０１１０】
なお、上述の第２実施形態及び変形例では、受電電極２０５等の非接触充電用部材が金属製である例を説明したが、これに限らない。例えば、受電電極２０５を導電性プラスチックで形成しても良い。受電電極２０５を導電性プラスチックで形成すると、カセッテ収納袋２０１に収納された電子カセッテ１３の使用後に、受電電極２０５を袋本体２０３から取り外さず、袋本体２０３とともに破棄処理（あるいは洗浄等の再生処理）をすることもできるため、使用後の処理が容易になることがある。また、充電回路２０６と接続端子２０４を繋ぐフレキシブル基板２１１等も同様である。したがって、受電電極２０５等の非接触充電用部材の少なくとも一部が、金属の代わりに導電性プラスチックで形成され、破棄処理時に袋本体２０３から分離不要であることが好ましい。これは、受電コイル２２１等を用いる場合も同様である。但し、非接触給電装置２０２，２２２は電子カセッテ１３を使用しても破棄や交換の必要がないので、カセッテ収納袋の非接触充電用部材を導電性プラスチックで形成する場合であっても、非接触給電装置２０２，２２２の給電電極２０９や給電コイル２２３の材料は金属製で良い。もちろん、非接触給電装置２０２，２２２の給電電極２０９や給電コイル２２３を導電性プラスチックで形成しても良い。
【０１１１】
なお、上述の第２実施形態及び変形例では、内ポケット２１２や回路収納袋２３２が、受電電極２０５等を出し入れ可能なように開閉自在に設けられている例を示したが、内ポケット２１２や回路収納袋２３２は、受電電極２０５をラミネート加工等により密封する態様のものでも良い。但し、電子カセッテ１３の使用後に破棄処理をするカセッテ収納袋２０１，２２０，２３０から、受電電極２０５等を容易に分別するためには、上述の第２実施形態及び変形例のように内ポケット２１２や回路収納袋２３２が開閉自在であったり、回路収納袋２３２が袋本体２３１から着脱自在であることが好ましい。
【０１１２】
なお、上述の第２実施形態及び変形例では、受電電極２０５等の非接触充電用部材を内ポケット２１１や回路収納袋２３２に収納する例を説明したが、受電電極２０５等の非接触充電用部材を袋本体の内壁に直接貼り付ける等して取り付けても良い。但し、電子カセッテ１３を収納したときに、受電電極２０５等と電子カセッテ１３が接触し、電子カセッテ１３のケーシング６１や受電電極２０５及び充電回路２０６が破損したりしないように、上述の第２実施形態及び変形例のように、受電電極２０５等は内ポケット２１１や回路収納袋２３２に収納されていることが好ましい。
【０１１３】
なお、上述の第１，第２実施形態及び変形例では、電子カセッテ１３がバッテリ３３を内蔵する例で説明したが、バッテリ３３は着脱式でも良い。
【符号の説明】
【０１１４】
１１  放射線画像撮影システム
１２  放射線照射ユニット
１３  電子カセッテ
１４  コンソール
１７，８６，９９，２０１，２２０，２３０  カセッテ収納袋
２１  放射線検出パネル
３３  バッテリ
３５  バッテリ端子
３６，９６  クレードル
３８  袋本体
３９，８８，２０４  接続端子
４２  クレードル端子
６９，７７，８９，９４，１０１，１０２，２１６  接点
７０  嵌合凹部
７２ａ，８１，９７，２１４  開口
７４，２１５  フラップ
７６ａ，７６ｂ  接着部
７８  嵌合凸部
７９，９０  支持体
９１  配線
９２  フレキシブル基板
９３  導線
２０２，２２２  非接触給電装置
２０３，２３１  袋本体
２０５  受電電極
２０６  充電回路
２０９  給電電極
２１０  交流電源
２１１  フレキシブル基板
２１２  内ポケット
２２１  受電コイル
２２３  給電コイル
２３２  回路収納袋
【図１】
2012027015.tif 000003
【図２】
2012027015.tif 000004
【図３】
2012027015.tif 000005
【図４】
2012027015.tif 000006
【図５】
2012027015.tif 000007
【図６】
2012027015.tif 000008
【図７】
2012027015.tif 000009
【図８】
2012027015.tif 000010
【図９】
2012027015.tif 000011
【図１０】
2012027015.tif 000012
【図１１】
2012027015.tif 000013
【図１２】
2012027015.tif 000014
【図１３】
2012027015.tif 000015
【図１４】
2012027015.tif 000016
【図１５】
2012027015.tif 000017
【図１６】
2012027015.tif 000018
【図１７】
2012027015.tif 000019